(57)【要約】      （修正有）【課題】左右の建物が異なる前後左右方向に揺れ動いても隙間が生じることなく、その揺れ動きに追従し、安全に使用することができる渡り通路用目地装置を提供する。【解決手段】左右の建物３の一方の外部通路４の目地部側床躯体に固定されたガイドレール６によってスライド移動できるように後端部が取付けられ、先端部がスライド移動可能に支持された床目地プレート７と、床目地プレート７の両側部に固定された側部手摺部材８と、側部手摺部材８の一方の建物側の端部に固定された外手摺部材９と、後端部が左右方向にスライド移動可能で、かつ先端部が内側へ回動可能に取付けられた一方のカバー手摺１１、一方のカバー手摺の先端部に内側へ回動可能で、かつ側部手摺部材８にスライド移動可能に取付けられた他方のカバー手摺１３、他方のカバー手摺１３を常時付勢するカバー手摺付勢手段１４とからなるカバー手摺１５とで渡り通路用目地装置１を構成している。【選択図】図１
2011089313.tif 000002
【特許請求の範囲】
【請求項１】
目地部を介して設けられた左右の建物の一方の外部通路の目地部側床躯体にほぼ水平状態で固定されたガイドレールと、このガイドレールによってスライド移動できるように後端部が取付けられ、先端部が前記左右の建物の他方の外部通路の目地部側床面に前後方向にだけスライド移動可能に支持された床目地プレートと、この床目地プレートの両側部に固定された側部手摺部材と、この側部手摺部材の内側部位の側部手摺部材の一方の建物側の端部に固定された外手摺部材と、前記一方の外部通路の目地部側外側手摺の内側壁に後端部が左右方向にスライド移動可能で、かつ該内側壁の端部に位置する先端部が内側へ回動可能に取付けられた一方のカバー手摺、この一方のカバー手摺の先端部にヒンジ部材を介して内側へ回動可能で、かつ前記側部手摺部材にスライド移動可能に取付けられた他方のカバー手摺、この他方のカバー手摺を常時前記側部手摺部材に当接するように付勢するカバー手摺付勢手段とからなるカバー手摺とを備えたことを特徴とする渡り通路用目地装置。
【請求項２】
床目地プレートはガイドレールより突出することなくスライド移動できるように複数個のローラーが介装された状態で床目地プレートの後端底面に固定されたレールで取付けられているとともに、カバー手摺の一方のカバー手摺と他方のカバー手摺の底面には一方の外側通路の床面や床目地プレートの上面をスムーズに移動するローラーが設けられていることを特徴とする請求項１記載の渡り通路用目地装置。
【請求項３】
カバー手摺は一方の外側通路の目地部側外側手摺の内側壁にほぼ水平状態で形成された一方のガイドレールに後端部が左右方向にスライド移動可能で、かつ該内側壁の端部に位置する先端部が内側へ回動可能に取付けられた一方のカバー手摺と、この一方のカバー手摺の先端部にヒンジ部材を介して内側へ回動可能で、かつ後端部が側部手摺部材の内側壁にほぼ水平状態で形成された他方のガイドレールに左右方向に移動可能に取付けられた他方のカバー手摺と、この他方のカバー手摺を常時前記側部手摺部材に当接するように付勢するスプリングを介装したワイヤーを用いた付勢手段とで構成されていることを特徴とする請求項１記載の渡り通路用目地装置。
【発明の詳細な説明】
【技術分野】
【０００１】
本発明は目地部を介して設けられた左右の建物の外側通路を接続する渡り通路用目地装置に関する。
【背景技術】
【０００２】
従来、この種の渡り通路は一方の建物の目地部側の外側通路の床躯体に固定されたガイドレールと、このガイドレールに後端部がスライド可能に取付けられ、他端部が他方の建物の目地部側の外側通路の床面上を左右方向にだけスライド移動可能に支持された床目地プレートと、一端部が他方の建物の外側通路の両側壁に枢支され、他端が一方の建物の外側通路の両側壁に枢支された伸縮可能な一対の手摺とで構成されていた。
【０００３】
このため、左右の建物が地震時に異なる左右方向の揺れ動きをした場合に、その揺れ動きを吸収することができ、異なる前後方向の揺れ動きも吸収可能であるが、床目地プレートと一対の手摺との間に隙間が生じ、危険になるという欠点があった。
【先行技術文献】
【特許文献】
【０００４】
【特許文献１】特開２００５−１６３４１７
【発明の概要】
【発明が解決しようとする課題】
【０００５】
本発明は以上のような従来の欠点に鑑み、比較的に構造が簡単で、表面部分に突出する部分がなく、左右の建物が異なる前後左右方向に揺れ動いても隙間が生じることなく、その揺れ動きに追従し、安全に使用することができる渡り通路用目地装置を提供することを目的としている。
【０００６】
本発明の前記ならびにそのほかの目的と新規な特徴は次の説明を添付図面と照らし合わせて読むと、より完全に明らかになるであろう。
【０００７】
ただし、図面はもっぱら解説のためのものであって、本発明の技術的範囲を限定するものではない。
【課題を解決するための手段】
【０００８】
上記目的を達成するために、本発明は目地部を介して設けられた左右の建物の一方の外部通路の目地部側床躯体にほぼ水平状態で固定されたガイドレールと、このガイドレールによってスライド移動できるように後端部が取付けられ、先端部が前記左右の建物の他方の外部通路の目地部側床面に前後方向にだけスライド移動可能に支持された床目地プレートと、この床目地プレートの両側部に固定された側部手摺部材と、この側部手摺部材の内側部位の側部手摺部材の一方の建物側の端部に固定された外手摺部材と、前記一方の外部通路の目地部側外側手摺の内側壁に後端部が左右方向にスライド移動可能で、かつ該内側壁の端部に位置する先端部が内側へ回動可能に取付けられた一方のカバー手摺、この一方のカバー手摺の先端部にヒンジ部材を介して内側へ回動可能で、かつ前記側部手摺部材にスライド移動可能に取付けられた他方のカバー手摺、この他方のカバー手摺を常時前記側部手摺部材に当接するように付勢するカバー手摺付勢手段とからなるカバー手摺とで渡り通路用目地装置を構成している。
【発明の効果】
【０００９】
以上の説明から明らかなように、本発明にあっては次に列挙する効果が得られる。
（１）請求項１により、地震により左右の建物が異なる前後左右方向に揺れ動いても、床目地プレート、両側部手摺部材、手摺部材およびカバー手摺によって、床目地プレートと各手摺部材やカバー手摺との間に隙間が生じるのを確実に防止することができる。
したがって、安全に使用することができる。
（２）前記（１）によって、カバー手摺を左右の建物の外側通路の外側手摺の内側壁に取付けているので、左右の建物の外側に位置しないので、見苦しくなったりするのを効率よく阻止することができる。
（３）前記（１）により、カバー手摺の取付けで従来の問題点を解決できるので、比較的に構造が簡単で、容易に設置することができる。
（４）請求項２は前記（１）〜（３）と同様な効果が得られるとともに、ガイドレールにより床目地プレートが外れることなく安全に使用できるとともに、カバー手摺の底面に取付けられたローラーによって、よりスムーズにカバー手摺をスライド移動させることができる。
（５）請求項３も前記（１）〜（３）と同様な効果が得られるとともに、カバー手摺の一方のカバー手摺の後端部とヒンジ部材で接続された他方のカバー手摺の後端部とが一方のガイドレールと他方のガイドレールに左右方向に移動可能で、かつヒンジ部材部位が内側へ回動可能に取付けられているので、カバー手摺が外れたりするのを確実に防止でき、かつ正確な動作をさせることができる。
【図面の簡単な説明】
【００１０】
【図１】本発明を実施するための第１の形態の平面図。
【図２】図１の２−２線に沿う断面図。
【図３】図２の３−３線に沿う断面図。
【図４】図１の４−４線に沿う断面図。
【図５】図２のＡ部拡大図。
【図６】本発明を実施するための第１の形態の床目地プレートの斜視図。
【図７】本発明を実施するための第１の形態のカバー手摺の説明図。
【図８】本発明を実施するための第１の形態の異なる前後方向の一方向の動作説明図。
【図９】本発明を実施するための第１の形態の異なる前後方向の他方向の動作説明図。
【図１０】本発明を実施するための第１の形態の異なる左右方向の動作説明図。
【図１１】本発明を実施するための第２の形態の平面図。
【図１２】図１１の１２−１２線に沿う断面図。
【図１３】図１１の１３−１３線に沿う断面図。
【図１４】本発明を実施するための第３の形態の平面図。
【図１５】図１４の１５−１５線に沿う断面図。
【図１６】本発明を実施するための第３の形態のカバー手摺の説明図。
【図１７】本発明を実施するための第４の形態の平面図。
【図１８】図１７の１８−１８線に沿う断面図。
【図１９】本発明を実施するための第４の形態のカバー手摺の説明図。
【図２０】本発明を実施するための第４の形態の異なる前後方向の一方の動作説明図。
【図２１】本発明を実施するための第４の形態の異なる前後方向の他方の動作説明図。
【発明を実施するための形態】
【００１１】
以下、図面に示す本発明を実施するための形態により、本発明を詳細に説明する。
【００１２】
図１ないし図１０に示す本発明を実施するための第１の形態において、１は目地部２を介して設けられた左右の建物３、３の外部通路４、４を接続する本発明の渡り通路用目地装置で、この渡り通路用目地装置１は前記左右の建物３、３の一方の外部通路４の目地部側床躯体４ａにほぼ水平状態となるように複数本のタッピングビス５で固定されたガイドレール６と、このガイドレール６によってスライド移動できるように後端部が取付けられ、先端部が前記左右の建物３、３の他方の外部通路４の目地部側床面４ｂに前後方向にだけスライド移動可能に支持された、前記目地部２の幅寸法Ｌの２倍以上の寸法の床目地プレート７と、この床目地プレート７の両側部に立設状態となるように固定された板状の側部手摺部材８、８と、この側部手摺部材８、８の内側側部手摺部材８の前記一方の建物３側の端部にＬ字状となるように固定され、かつ前記ガイドレール６にスライド移動可能に支持された外手摺部材９と、前記一方の外部通路４の目地部側外側手摺１０の内側壁１０ａに後端部が左右方向にスライド移動可能で、かつ該内側壁１０ａの端部に位置する先端部が内側へ回動可能に取付けられた一方のカバー手摺１１、この一方のカバー手摺１１の先端部にヒンジ部材１２を介して内側へ回動可能で、かつ前記側部手摺部材８にスライド移動可能に取付けられた他方のカバー手摺１３、この他方のカバー手摺１３を常時前記側部手摺部材８に当接するように付勢するカバー手摺付勢手段１４とからなるカバー手摺１５とで構成されている。
【００１３】
前記床目地プレート７の先端部の上面が傾斜面１６に形成された鋼材、アルミ合金、ステンレス合金等の金属材製の床目地プレート本体１７と、この床目地プレート本体１７の後端部の底面に固定された前記ガイドレール６内に複数個のローラー１８を介して支持されるＨ形鋼形状のレール１９とで構成されている。
【００１４】
なお、前記ガイドレール６よりレール１９が突出したりする不具合を防止するために、前記レール１９の底板１９ａの上面に当接する複数個のローラー２０、２１が該ガイドレール６に取付けられている。
【００１５】
前記カバー手摺１５は図７に示すように、前記一方の外部通路４の外側手摺１０の目地部側の内側壁１０ａにほぼ水平方向に複数本のタッピングビス２２等で固定されたリップミゾ形鋼形状の一方のガイドレール２３と、この一方のガイドレール２３によって左右方向にスライド移動でき、かつ先端部が内側へ回動できるように後端部に、該一方のガイドレール２３と係合するローラー２４を用いた係合部材２５を備える一方のカバー手摺１１と、この一方のカバー手摺１１の底面に取付けられた前記床目地プレート７上をスムーズにスライド移動させるための複数個のローラー２６と、前記一方のカバー手摺１１の先端部とヒンジ部材１２を介して回動可能に取付けられた他方のカバー手摺１３と、この他方のカバー手摺１３で覆われる、前記側部手摺部材８の内側壁８ａにほぼ水平方向に複数本のタッピングビス２７等で固定されたリップミゾ形鋼形状の他方のガイドレール２８と、この他方のガイドレール２８とスライド移動可能に係合する前記他方のカバー手摺１３の先端部に取付けられたローラー２４を用いた係合部材２５と、前記他方のカバー手摺１３の底面に取付けられた前記床目地プレート７上をスムーズにスライド移動させるための複数個のローラー２９と、一端部が前記他方のカバー手摺１３の前記一方のカバー手摺１１側に固定され、他端が複数個のガイドローラー３０、３１を介して前記床目地プレート７の後端部寄りの底面に固定されたスプリング３２を介装したワイヤー３３とからなるカバー手摺付勢手段１４とで構成されている。
【００１６】
上記構成の渡り通路用目地装置１は、通常時には図１および図２に示すように左右の建物３、３の外部通路４、４は床目地プレート７および側部手摺部材８、８で覆われ、安全に通行することができる。
【００１７】
地震で左右の建物３、３が異なる前後方向の一方向へ揺れ動いた場合、図８に示すように床目地プレート７がガイドレール６によって内側方向へスライド移動する。この時、カバー手摺１５の他方のカバー手摺１３はカバー手摺付勢手段１４によって側部手摺部材８に当接した状態を保つので、一方のカバー手摺１１の先端部が内側へ回動するとともに、後端部が一方のガイドレール２３に沿ってスライド移動し、その揺れ動きを床面に隙間が生じることなく、吸収することができる。
【００１８】
地震で左右の建物３、３が異なる前後方向の他方に揺れ動いた場合、図９に示すように床目地プレート７がガイドレール６によって外側方向へスライド移動する。この時、外手摺部材９が一方の外部通路４内へ移動して開口部が生じるのを阻止するとともに、他方のカバー手摺１３はカバー手摺付勢手段１４の付勢力に抗して回動するとともに、後端部が他方のガイドレール２８に沿ってスライド移動し、その揺れ動きを底面に隙間が生じることなく吸収することができる。
【００１９】
地震により左右の建物３、３が異なる左右方向に揺れ動いた場合には、図１０に示すように床目地プレート７の先端部が他方の建物３の外部通路４の目地部側床面４ｂ上をスライド移動して、その揺れ動きを吸収する。
【００２０】
なお、地震での揺れ動きが停止すると、自動的に元の状態へ戻る。
【００２１】
[発明を実施するための異なる形態]
次に、図１１ないし図２１に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２２】
図１１ないし図１３に示す本発明を実施するための第２の形態において、前記本発明を実施するための第１の形態と主に異なる点は、一方の外部通路４の外側手摺１０の目地部側の内側壁１０ａに埋設状態で一方のガイドレール２３Ａを固定するとともに、側部手摺部材８の内側壁８ａに埋設状態で他方のガイドレール２８Ａを固定したカバー手摺１５Ａを用いた点で、このようなカバー手摺１５Ａを用いて構成した渡り通路用目地装置１Ａにしても、前記本発明を実施するための第１の形態と同様な作用効果が得られる。
【００２３】
図１４ないし図１６に示す本発明を実施するための第３の形態において、前記本発明を実施するための第１の形態と主に異なる点は、一端部が他方のカバー手摺１３の一方のカバー手摺１１側に固定され、他端部がガイドローラー２０を介して側部手摺部材８の下部位置に取付けられたスプリング３２を介装したワイヤー３３とからなるカバー手摺付勢手段１４Ａを用いた点で、このようなカバー手摺付勢手段１４Ａを用いて構成した渡り通路用目地装置１Ｂにしても、前記本発明を実施するための第１の形態と同様な作用効果が得られる。
【００２４】
図１７ないし図２１に示す本発明を実施するための第４の形態において、前記本発明を実施するための第２の形態と主に異なる点は、他方のガイドレールと係合手段を用いない他方のカバー手摺１３Ａを用い、該他方のカバー手摺１３Ａをカバー手摺付勢手段１４によって移動できるようにしたカバー手摺１５Ｂを用いた点で、このようなカバー手摺１５Ｂを用いて構成した渡り通路用目地装置１Ｃにしても前記本発明を実施するための第１の形態と同様な作用効果が得られる。
【産業上の利用可能性】
【００２５】
本発明は目地部を介して設けられた左右の建物の外側通路を接続する渡り通路用目地装置を製造する産業で利用される。
【符号の説明】
【００２６】
１、１Ａ、１Ｂ、１Ｃ：渡り通路用目地装置、
２：目地部、        ３：建物、
４：外部通路、        ５：タッピングビス、  
６：ガイドレール、      ７：床目地プレート、
８：側部手摺部材、      ９：外手摺部材、
１０：外側手摺、      １１：一方のカバー手摺、
１２：ヒンジ部材、      １３、１３Ａ：他方のカバー手摺、
１４、１４Ａ：カバー手摺付勢手段、
１５、１５Ａ、１５Ｂ：カバー手摺、
１６：傾斜面、      １７：床目地プレート本体、
１８：ローラー、      １９：レール、
２０、２１：ローラー、    ２２：タッピングビス、
２３、２３Ａ：一方のガイドレール、
２４：ローラー、      ２５：係合部材、
２６、ローラー、      ２７：タッピングビス、
２８、２８Ａ：他方のガイドレール、
２９：ローラー、      ３０、３１：ガイドローラー、
３２：スプリング、      ３３：ワイヤー。
【図１】
2011089313.tif 000003
【図２】
2011089313.tif 000004
【図３】
2011089313.tif 000005
【図４】
2011089313.tif 000006
【図５】
2011089313.tif 000007
【図６】
2011089313.tif 000008
【図７】
2011089313.tif 000009
【図８】
2011089313.tif 000010
【図９】
2011089313.tif 000011
【図１０】
2011089313.tif 000012
【図１１】
2011089313.tif 000013
【図１２】
2011089313.tif 000014
【図１３】
2011089313.tif 000015
【図１４】
2011089313.tif 000016
【図１５】
2011089313.tif 000017
【図１６】
2011089313.tif 000018
【図１７】
2011089313.tif 000019
【図１８】
2011089313.tif 000020
【図１９】
2011089313.tif 000021
【図２０】
2011089313.tif 000022
【図２１】
2011089313.tif 000023